(57)【要約】【課題】施錠する際に単独で傾動してロックされるロック爪であっても、施錠時のロック爪の動きをロックして不正解錠を防止することができる遊技機用施錠装置を提供する。【解決手段】表枠ロック爪２、３の基部に隣接して摺動ロック部材４が基枠１内に上下摺動可能に配設される。表枠ロック爪２，３のロックを解除する側に付勢するばね部材１４ｂ，１４ｅが表枠ロック爪２，３に装着される。表枠ロック爪２，３には係止溝２ｃ、３ｃが形成されると共に、係止溝２ｃ、３ｃに係合して表枠ロック爪２，３をロック状態に保持する係止部４ａ，５ａが摺動ロック部材４，５に設けられる。基枠１内に摺動可能に配設される作動帯板８には、解錠時の摺動に伴い摺動ロック部材４，５の係止部４ａ，５ａに係合して摺動ロック部材４，５のロックを解除する側に摺動ロック部材４，５を摺動させる係合部８ｄ，８ｅが設けられている。【選択図】図７
2008284222.tif 000002
【特許請求の範囲】
【請求項１】
相互に直角に曲折された取付板と支持板を有する縦長の基枠の該支持板に、表枠ロック爪が背面側に突出し且つ上下に傾動可能に枢支されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、
該表枠ロック爪の基部に隣接して摺動ロック部材が該基枠内に上下摺動可能に配設され、該表枠ロック爪のロックを解除する側に付勢するばね部材が該表枠ロック爪に装着され、該表枠ロック爪には係止溝が形成されると共に、該係止溝に係合して該表枠ロック爪をロック状態に保持する係止部が該摺動ロック部材に設けられ、前記作動帯板には解錠時の摺動に伴い該摺動ロック部材の該係止部に係合して該摺動ロック部材のロックを解除する側に該摺動ロック部材を摺動させる係合部が設けられたことを特徴とする遊技機用施錠装置。
【請求項２】
前記摺動ロック部材の係止部の係止方向に付勢するばね部材が該摺動ロック部材に掛止され、前記表枠を前記本体枠側に閉じたとき、前記表枠ロック爪が該本体枠の受け金具から回動力を受け、施錠側に回動してロック位置に達したとき、該ばね部材の付勢力により該摺動ロック部材の該係止部が該表枠ロック爪の係止溝に進入して係止されることを特徴とする請求項１記載の遊技機用施錠装置。
【請求項３】
前記ばね部材としてコイルばねが前記表枠ロック爪と前記摺動ロック部材との間に掛け渡され、解錠時には、該コイルばねにより該表枠ロック爪が解錠側に付勢されることを特徴とする請求項２記載の遊技機用施錠装置。
【請求項４】
前記表枠ロック爪の基部に膨出部が円弧状に膨出して形成され、該表枠ロック爪の傾動時、前記摺動ロック部材の係止部が該膨出部の縁を摺動し、表枠ロック爪がロック位置まで回動したとき、該係止部が該係止溝に係止され、該表枠ロック爪がロックされることを特徴とする請求項３記載の遊技機用施錠装置。
【請求項５】
前記カム部材には、係合凸部が設けられ、前記作動帯板には該カム部材の係合凸部が進入して嵌合する係合孔が設けられ、施錠状態において該係合凸部が該作動帯板の係合孔に嵌入した状態を保持して、該作動帯板の解錠側への摺動を阻止し、解錠時には該カム部材の該係合凸部が該係合孔内にさらに進入して該作動帯板を摺動させることを特徴とする請求項１記載の遊技機用施錠装置。
【請求項６】
前記表枠ロック爪の係止溝の近傍に、押し出し部が設けられ、解錠時に該表枠ロック爪が解錠側に回動する際、該押し出し部が前記受け金具を押して前記表枠が開放されることを特徴とする請求項１記載の遊技機用施錠装置。
【請求項７】
前記基枠の取付板に設けた開口部から正面側に突出し且つ上下に摺動可能にガラス枠ロック爪が配設され、前記作動帯板が前記カム部材の回動により前記表枠ロック爪の解錠方向と反対方向に移動したとき、該作動帯板の係合部に係合して、該ガラス枠ロック爪を解錠方向に摺動させるための係合部が該ガラス枠ロック爪に設けられ、該ガラス枠ロック爪を施錠方向に付勢するばね部材が該ガラス枠ロック爪に掛止されたことを特徴とする請求項１記載の遊技機用施錠装置。
【発明の詳細な説明】
【技術分野】
【０００１】
本発明は、パチンコ機などの遊技機に使用される施錠装置に関し、特に施錠状態におけるロック爪の動きを完全にロックし、不正解錠を防止することができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされ、シリンダ錠の一方向の回動により、カム部材を表枠用帯板に係合させ同帯板を摺動させて表枠を解錠し、シリンダ錠の他方向への回動により、カム部材を金枠用帯板に係合させ同帯板を摺動させて金枠を解錠するように動作する。
【特許文献１】特開２００１−３８０２６号公報
【特許文献２】特開平１０−１５１２５４号公報
【発明の開示】
【発明が解決しようとする課題】
【０００４】
この種のパチンコ機の施錠装置は、通常、表枠または金枠を閉じると、表枠用ロック爪または金枠用ロック爪が、自動的に傾動して、本体枠側の受け金具または表枠側の受け金具に係止されて施錠され、解錠する際には、シリンダ錠によりカム部材を回動させることにより、表枠用帯板または金枠用帯板を摺動させて解錠操作する。このため、施錠状態において、表枠の隙間から針金などを差し込んで不正に表枠用帯板または金枠用帯板を移動させた場合、表枠用ロック爪または金枠用ロック爪が傾動して、不正解錠が可能となる問題があった。
【０００５】
このために、上記特許文献１の施錠装置では、施錠状態で表枠用帯板と金枠用帯板の移動をロックするロック部材とそのロックを解除するロック解除部材を取り付けている。しかしながら、このロック部材とロック解除部材は金枠用帯板に揺動可能に枢支され、表枠及び金枠の開閉時には揺動し、表枠用帯板などを係止する構造のため、表枠用帯板と金枠用帯板がキーによる解錠時に円滑に移動しない場合があり、また、ロック部材とロック解除部材及びそれらを付勢するコイルばねなどの部材が必要となって部品点数が増大し、製造時の組付工数も増大する課題があった。
【０００６】
一方、従来、遊技機の施錠装置として、基枠の上部と下部に鉤部材が傾動可能に枢支され、各鉤部材に施錠方向に付勢するコイルばねが掛止され、基枠内に摺動可能に配設した帯状の作動板を鉤部材に係合可能とし、且つ施錠時には上部と下部の鉤部材が単独で傾動しながらパチンコ機本体側の受け金具に係止される構造の施錠装置が、上記特許文献２により提案されている。この施錠装置は、上下の鉤部材が施錠動作する際、単独で傾動しながら受け金具に係止されて施錠するのであるが、針金などの不正器具により鉤部材つまりロック爪を動かした場合、解錠側に傾動可能のため、作動板を上記のロック部材によりロックしたとしても、鉤部材はロックされない。このため、不正器具による不正解錠が可能となってしまう課題があった。
【０００７】
本発明は、上述の課題を解決するものであり、施錠する際に単独で傾動してロックされるロック爪であっても、施錠時のロック爪の動きをロックして不正解錠を防止することができる遊技機用施錠装置を提供することを目的とする。
【課題を解決するための手段】
【０００８】
本発明に係る遊技機用施錠装置は、相互に直角に曲折された取付板と支持板を有する縦長の基枠の該支持板に、表枠ロック爪が背面側に突出し且つ上下に傾動可能に枢支されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、該表枠ロック爪の基部に隣接して摺動ロック部材が該基枠内に上下摺動可能に配設され、該表枠ロック爪のロックを解除する側に付勢するばね部材が該表枠ロック爪に装着され、該表枠ロック爪には係止溝が形成されると共に、該係止溝に係合して該表枠ロック爪をロック状態に保持する係止部が該摺動ロック部材に設けられ、前記作動帯板には解錠時の摺動に伴い該摺動ロック部材の該係止部に係合して該摺動ロック部材のロックを解除する側に該摺動ロック部材を摺動させる係合部が設けられたことを特徴とする。
【０００９】
ここで、上記摺動ロック部材の係止部の係止方向に付勢するばね部材を該摺動ロック部材に掛止し、上記表枠を本体枠側に閉じたとき、上記表枠ロック爪が該本体枠の受け金具から回動力を受け、施錠側に回動してロック位置に達したとき、該ばね部材の付勢力により摺動ロック部材の該係止部が該表枠ロック爪の係止溝に進入して係止されるように構成することができる。
【００１０】
また、上記ばね部材としてコイルばねが上記表枠ロック爪と上記摺動ロック部材との間に掛け渡され、解錠時には、該コイルばねにより該表枠ロック爪を解錠側に付勢するように構成することができる。
【００１１】
また、上記表枠ロック爪の基部に円弧状の膨出部を形成し、該膨出部に係止溝が形成され、該表枠ロック爪の傾動時、該摺動ロック部材の該係止部が該円弧状縁部を摺動し、表枠ロック爪がロック状態まで回動したとき、該係止部が該係止溝に係止され、該表枠ロック爪がロックされるように構成することができる。
【００１２】
さらに、上記カム部材には、係合凸部が設けられ、該作動帯板には該カム部材の係合凸部が進入して嵌合する係合孔が設けられ、施錠状態において該係合凸部が該作動帯板の係合孔に嵌入した状態を保持して、該作動帯板の解錠側への摺動を阻止し、解錠時には該カム部材の該係合凸部が該係合孔内にさらに進入して該作動帯板を摺動させるように構成することができる。
【００１３】
さらに、上記表枠ロック爪の係止溝の近傍に、押し出し部が設けられ、解錠時に該表枠ロック爪が解錠側に回動する際、該押し出し部が受け金具を押して表枠が開放されるように構成することができる。
【００１４】
さらに、上記基枠の取付板に設けた開口部から正面側に突出し且つ上下に摺動可能にガラス枠ロック爪が配設され、上記作動帯板が上記カム部材の回動により上記表枠ロック爪の解錠方向と反対方向に移動したとき、該作動帯板の係合部に係合して、該ガラス枠ロック爪を解錠方向に摺動させるための係合部が該ガラス枠ロック爪に設けられ、該ガラス枠ロック爪を施錠方向に付勢するばね部材を該ガラス枠ロック爪に装着することができる。
【発明の効果】
【００１５】
上記構成の遊技機用施錠装置は、施錠する際に単独で傾動してロックされる表枠ロック爪を有した構造であっても、施錠時、摺動ロック部材の係止部が表枠ロック爪の係止溝に係合して表枠ロック爪の動きをロックするため、針金などの不正器具で表枠ロック爪を傾動させることは全く不可能であり、不正解錠を防止することができる。また、施錠状態において、表枠に開方向の力が印加された場合、その力は表枠ロック爪の枢軸と摺動ロック部材の係止部に分散してかかるため、無理に表枠を開こうとする際の施錠保持力を、従来の施錠装置より大きく向上させることができる。
【００１６】
さらに、表枠ロック爪と摺動ロック部材間に、表枠ロック爪を解錠方向に付勢すると共に摺動ロック部材の係止部を係止させる方向に付勢するばね部材を装着することにより、１個のばね部材のみで摺動ロック部材のロック動作を確実に行うことができ、表枠ロック爪は解錠時、そのばね力により受け金具を開放する方向に付勢され、表枠の開動作を良好に行うことができる。
【００１７】
さらに、ガラス枠を施錠するガラス枠ロック爪を基枠に設け、上記作動帯板を表枠ロック爪の解錠時とは逆方向に摺動させたとき、ガラス枠ロック爪を解錠動作させる構成とすれば、表枠とガラス枠の両方の施錠を行うことができると共に、１本の作動帯板のみで、カム部材とシリンダ錠を使用して選択的に解錠操作を行うことができる。
【００１８】
また、施錠状態においては、カム部材の係合凸部が、作動帯板の係合孔に嵌入した状態を保持して、作動帯板の解錠側への摺動を阻止する構成とすれば、不正器具の先端を引っ掛けて作動帯板を動かしガラス枠ロック爪や表枠ロック爪を摺動させようとしても、作動帯板はロックされて動かず、不正解錠を防止することができる。
【発明を実施するための最良の形態】
【００１９】
以下、本発明の一実施形態を図面に基づいて説明する。図１はパチンコ遊技機用の施錠装置の右側面図を示し、図２はその背面図を示し、図３はその分解右側面図を示している。本施錠装置は、基本的には、縦長で略チャンネル材形の基枠１の支持板１２の上部と下部に、パチンコ遊技機の表枠２１（図５）を施錠するための上下１対の表枠ロック爪２，３を、上下に傾動可能に背面に向けて配設し、さらに、基枠１の上部と中央下寄りに、上下１対のガラス枠ロック爪６，７を、上下摺動可能に配設し、上下の表枠ロック爪２，３及びガラス枠ロック爪６，７を解錠方向に傾動または摺動させる作動帯板８を、基枠１内の支持板１２に沿って摺動可能に配設し、基枠１の取付板１１の中間部下寄りにシリンダ錠９を取り付け、シリンダ錠９の錠軸９ｂの先端に固定したカム部材１０を、作動帯板８に係合可能として構成される。
【００２０】
基枠１は、図３、図４の分解図に示すように、断面略コ字状の略チャンネル材状に形成され、その底板となる取付板１１と、取付板１１から直角に立ち上がるように曲折された支持板１２とを有している。取付板１１と支持板１２が相互に直角に曲折され、支持板１２には、表枠ロック爪２，３を支持するための幅広部が設けられ、その幅広部に枢軸２a，３aを介して表枠ロック爪２，３が各々上下に傾動可能に枢支される。支持板１２の幅広部には、ロック爪用のストッパが設けられ、ばね部材１４ｂ．１４ｅにより解錠側に付勢される表枠ロック爪２，３は、下方に傾動した解錠状態でこのストッパに当たって停止する。
【００２１】
さらに、基枠１の取付板１１の上部と中間部上寄りに、ガラス枠ロック爪６，７用のスリット状の開口部１１ａ、１１ｂが形成され、この開口部１１ａ，１１ｂからフック部（ロック爪）を正面側に突き出す形態で、ガラス枠ロック爪６，７が基枠１内に上下摺動可能に配設される。上部と中間部上寄りに位置するガラス枠ロック爪６，７は、基部となる略矩形のスライド部６ａ，７ａから正面側に突き出すようにフック部が上向きに形成されて構成され、施錠位置から解錠位置の範囲内で、基枠１内を上下に摺動可能に配設されている。
【００２２】
ガラス枠ロック爪６，７の基部となるスライド部６ａ，７ａの縁部には、作動帯板８の係合部８ｅ、８ｈと係合可能な係合部６ｃ、７ｃが、ばね掛け部として兼用で設けられている。作動帯板８の下降時、作動帯板８の係合部８i、８ｈがガラス枠ロック爪６，７の係合部６ｃ、７ｃに係合し、ガラス枠ロック爪６，７を下に摺動させ、受け金具との係合を外すように解錠動作する。ばね掛け部としての係合部６ｃ、７ｃと取付板１１間に、各々ばね部材１４ａ、１４ｄが掛止され、ガラス枠ロック爪６，７は施錠方向（上側）に付勢されている。ガラス枠ロック爪６，７の基部のスライド部６ａ，７ａには、ガイド孔６ｂ、７ｂが形成され、ガイド孔６ｂ、７ｂにはガイドピン１３ａ，１３ｃが挿通され、ガイド孔６ｂ、７ｂの範囲でガラス枠ロック爪６，７は上下摺動する。
【００２３】
支持板１２の内側で表枠ロック爪２，３とガラス枠ロック爪６，７の外側に、１本の作動帯板８が上下摺動可能に配設され、作動帯板８には、上下方向に３個のガイド孔８ａ，８ｂ，８ｃが形成される。この１本の作動帯板８は、表枠ロック爪２，３とガラス枠ロック爪６，７の両方を解錠するために兼用して使用され、上に移動したとき、表枠ロック爪２，３を傾動して表枠２１を解錠し、下に移動したとき、ガラス枠ロック爪６，７を摺動させてガラス枠２２を解錠する。
【００２４】
図３のように、ガイドピン１３ａ，１３ｂ，１３ｃが作動帯板８のガイド孔８ａ，８ｂ，８ｃ及びガラス枠ロック爪６，７のガイド孔６ｂ、７ｂに挿入され、ガイドピン１３ａ，１３ｂ、１３ｃの先端は支持板１２に固定される。なお、支持板１２の中間部と作動帯板８の間にスライド部材１５が上下摺動可能に配設される。このスライド部材１５にはガイド孔１５ａが形成され、ガイドピン１３ｂは作動帯板８のガイド孔８ｂからこのガイド孔１５ａを通り、先端が支持板１２に固定される。
【００２５】
スライド部材１５はガイド孔８ｂの範囲内で上下に摺動可能であると共に、ばね部材１４ｃが係合部１５ｂとしてのばね掛け部と取付板１１との間に掛けられている。スライド部材１５の係合部１５ｂは、作動帯板８に設けた係合部８ｊと係合可能であり、作動帯板８が表枠ロック爪２，３を解錠動作させるために上移動したとき、係合部８ｊがスライド部材１５の係合部１５ｂと係合して，これを上に摺動させ、これに伴い、ばね部材１４ｃによって下方への適度な付勢力を生じさせ、解錠操作後に作動帯板８を下方に戻すように摺動させる。作動帯板８はガイド孔８ａ，８ｂ，８ｃ及びガイドピン１３ａ，１３ｂ，１３ｃの範囲内で上下動可能となっている。
【００２６】
上下１対の表枠ロック爪２，３は、上述のように、支持板１２の幅広部に枢軸２ａ，３ａを軸に回動（傾動）可能に枢支されるが、表枠ロック爪２，３の基部の上部側に、膨出部２ｂ、３ｂが上に膨出するように円弧状に形成され、その膨出部２ｂ、３ｂの縁部に、係止溝２ｃ、３ｃが上から下に向けて形成されている。この膨出部２ｂ、３ｂの縁部には、後述の摺動ロック部材４，５の係止部４ａ，５ａが接触しており、表枠ロック爪２，３が施錠状態に回動したとき、係止溝２ｃ、３ｃに、摺動ロック部材４，５の係止部４ａ，５ａが進入して嵌入し、表枠ロック爪２、３が施錠状態にロックされる。
【００２７】
摺動ロック部材４，５は、各々、略長方形の板状に形成され、表枠ロック爪２、３の基部と支持板１２との間に、支持板１２に沿って上下摺動可能に配設される。摺動ロック部材４，５には図３のように、係止部４ａ，５ａと長孔４ｂ、５ｂが設けられ、さらに、摺動ロック部材４，５は、各々、表枠ロック爪２、３との間に掛け渡されたばね部材（コイルばね）１４ｂ，１４ｅにより下方つまり係止部４ａ，５ａが係止溝２ｃ、３ｃに進入して係止される方向に付勢される。
【００２８】
すなわち、図７の仮想線に示すように、表枠２１の解錠状態において、表枠ロック爪２、３は、ばね部材１４ｂ，１４ｅにより開く方向つまり下方に傾斜した状態を保持し、表枠２１を閉じると、表枠２１側の受け金具２３，２４が表枠ロック爪２，３の押し出し部２ｄ、３ｄ近傍を押して、表枠ロック爪２，３が施錠方向（上側）に回動し、施錠位置で摺動ロック部材４，５の係止部４ａ，５ａが表枠ロック爪２，３の係止溝２ｃ、３ｃに到達したとき、摺動ロック部材４，５がばね部材１４ｂ，１４ｅの付勢力により下に移動し、係止部４ａ，５ａが係止溝２ｃ、３ｃに係止されて表枠ロック爪２，３は図９のように施錠状態となってロックされる。
【００２９】
一方、図３，図４に示すように、作動帯板８の上記摺動ロック部材４，５に対応した位置に長孔が形成され，その長孔の下縁に係合部８ｄ，８ｅが形成されている。この作動帯板８の長孔には摺動ロック部材４，５の係止部４ａ，５ａが嵌入して移動可能であり、作動帯板８がシリンダ錠９とカム部材１０の作用により上に摺動したとき、その長孔の下縁の係合部８ｄ，８ｅが係止部４ａ，５ａと係合し、係止部４ａ，５ａを上に摺動させる。これにより、係止溝２ｃ、３ｃから係止部４ａ，５ａを離脱させて、表枠ロック爪２，３のロックを解除する構造である。
【００３０】
一方、基枠１の取付板１１の中間部下寄りに、シリンダ錠用の取付開口部が形成され、図３、図４に示すように、フランジ９ａを有するシリンダ錠９がその取付開口部に挿入する形態で取り付けられる。シリンダ錠９は、取付板１１の内側からフランジ９ａを取付板１１に当て、取付開口部からシリンダを正面に突出させ、固定ねじにて締め付け固定して取り付けられる。これにより、シリンダ錠９の錠軸９ｂは基枠１の内側に位置する。
【００３１】
基枠１の内側では、シリンダ錠９の錠軸９ｂの先端に、カム部材１０が固定される。カム部材１０には、第１係合凸部１０ａと第２係合凸部１０ｂが突設され、図２、図４に示すように、第１係合凸部１０ａと第２係合凸部１０ｂは、基枠１内で、支持板１２及び作動帯板８の側を向いて配設される。また、カム部材１０の第１係合凸部１０ａと第２係合凸部１０ｂは、施錠状態（キーによる解錠時以外の状態時）において、作動帯板８の係合孔８ｆ，８ｇ（図３）及び支持板１２の長孔に進入して嵌り込み、作動帯板８の移動を阻止する構造となっている。
【００３２】
さらに、カム部材１０の第１係合凸部１０ａは、シリンダ錠９にキーを差し込み右に回したとき、図２の反時計方向に回動するが、このとき、第１係合凸部１０ａが係合孔８ｇ内にさらに進入して作動帯板８を上に摺動させるように形成されている。また、同様に、カム部材１０の第２係合凸部１０ｂは、シリンダ錠９にキーを差し込み左に回したとき、図２の時計方向に回動するが、このとき、第２係合凸部１０ｂが係合孔８ｆ内にさらに進入して作動帯板８を下に摺動させるように形成されている。
【００３３】
上記構成の遊技機用施錠装置は、図５，図６に示すように、パチンコ遊技機の本体枠２０の前面に、ヒンジを介して開閉可能に装着された表枠２１の内側の自由端寄りに、縦に固定される。このとき、シリンダ錠９の正面鍵口は表枠２１の正面に露出し、表枠ロック爪２，３は、表枠２１の背面側つまり本体枠２０側を向いて取り付けられる。
【００３４】
本体枠２０内における表枠ロック爪２，３の対応位置に、受け金具２３，２４が固定される。この受け金具２３，２４は、図５，図６に示すように、略立方体形状に形成され、表枠ロック爪２，３のフック状のロック爪の内側に、密に嵌入可能な大きさと形状に形成されている。
【００３５】
一方、表枠２１の正面側には、ガラス枠２２がヒンジを介して開閉可能に取り付けられ、そのガラス枠２２の閉鎖時にガラス枠２２が嵌る表枠２１の正面部分の縁部に、１対のガラス枠ロック爪６，７が突出する。そして、ガラス枠２２の内側には、ガラス枠２２の閉鎖時に、ガラス枠ロック爪６，７が係止可能な受け金具２５，２６がガラス枠２２の内側に取り付けられる。
【００３６】
パチンコ遊技機の本体枠２０に対し表枠２１を閉じると、図９に示すように、施錠装置の解錠状態にある表枠ロック爪２，３の基部の押し出し部２ｄ、３ｄの近傍に本体枠２０の内側の受け金具２３，２４が接触し、これにより、表枠ロック爪２，３が上に回動していく。このとき、ばね部材１４ｂ，１４ｅの付勢力により摺動ロック部材４，５が下に付勢される。そして、表枠ロック爪２，３の係止溝２ｃ、３ｃが、摺動ロック部材４，５の係止部４ａ，５ａの位置に達したとき、図９のように、係止部４ａ，５ａが係止溝２ｃ、３ｃに嵌入し、受け金具２３，２４が表枠ロック爪２，３の内側に係止保持されてロックされ、表枠２１が施錠状態となる。
【００３７】
このように、表枠２１の施錠状態において、表枠ロック爪２，３の係止溝２ｃ、３ｃに摺動ロック部材４，５の係止部４ａ，５ａが嵌入して表枠ロック爪２，３がロックされる。このため、遊技機の表枠２１と本体枠２０の隙間から針金などの不正器具を差し込み、その先端で引っ掛けて、表枠ロック爪２，３を解錠側へ移動させようとしても、表枠ロック爪２，３は、摺動ロック部材４，５の係止部４ａ，５ａによりロックされているため、解錠への傾動は不可能である。
【００３８】
したがって、施錠状態における表枠ロック爪２，３は、解錠方向への傾動が不可能となり、表枠の隙間から針金などを差し込んで表枠ロック爪２，３を動かすことができず、不正解錠を防止することができる。また、施錠状態において、カム部材１０の第１、第２係合凸部１０ａ，１０ｂが、作動帯板８の係合孔８ｆ，８ｇに嵌入した状態を保持して、作動帯板８の移動はロックされる。
【００３９】
つまり、キーを抜いた状態のシリンダ錠９では、その錠軸９ｂは回動できず、回動不可能であるから、カム部材１０はシリンダ錠９によりロックされ、作動帯板８はカム部材１０により上下摺動を阻止される。このため、不正器具の先端を引っ掛けて作動帯板８を動かし表枠ロック爪２，３を摺動させようとしても、作動帯板８は摺動せず、不正解錠を防止することができる。
【００４０】
一方、表枠２１に対しガラス枠２２を閉じると、１対のガラス枠ロック爪６，７の先端傾斜部が、ガラス枠２２の受け金具２５，２６に当って一旦下に摺動し、ばね部材１４ａ，１４ｄの付勢力によって上方に戻ることにより、ガラス枠ロック爪６，７がガラス枠２２の受け金具２５，２６に係止される。
【００４１】
表枠２１を解錠する場合、キーをシリンダ錠９に差し込み、右に回すと、カム部材１０の第１係合凸部１０ａが図２の反時計方向に回動して作動帯板８の係合孔８ｇに係合し、作動帯板８を上方に移動させる。このとき、図１０に示すように、作動帯板８の係合部８ｄ，８ｅが摺動ロック部材４，５の係止部４ａ，５ａ係合して、摺動ロック部材４，５をばね部材１４ｂ，１４ｅの付勢力に抗して、上に摺動させ、係止部４ａ，５ａを表枠ロック爪２，３の係止溝２ｃ、３ｃから外す。
【００４２】
これにより、表枠ロック爪２，３は、係止部４ａ，５ａによる係止を外され、ばね部材１４ｂ，１４ｅの付勢力により下側に傾動し、受け金具２３，２４から外れ、解錠される。また、この表枠２１の解錠時、表枠ロック爪２，３はばね部材１４ａ，１４ｅにより開放方向に付勢され、表枠ロック爪２，３の押し出し部２ｄ、３ｄが受け金具２３，２４を押し出すように作用し、これにより、解錠操作時に表枠２１を楽に開くことができる。
【００４３】
ガラス枠２２を解錠する場合、シリンダ錠９にキーを差し込み、キーを左に回すと、カム部材１０の第２係合凸部１０ｂが図２の時計方向に回動して作動帯板８を下方に移動させる。このとき、作動帯板８の係合部８ｈ、８ｉが、ガラス枠ロック爪６，７の係合部６ｃ、７ｃに係合してこれを押し下げ、ガラス枠ロック爪６，７が下方に摺動する。これにより、ガラス枠ロック爪６，７と受け金具２５，２６との係合が外れ、ガラス枠２２が解錠される。
【００４４】
このように、施錠する際に単独で傾動してロックされる表枠ロック爪２、３を有した施錠装置であっても、施錠時、摺動ロック部材４，５の係止部４ａ，５ａが表枠ロック爪２，３の係止溝２ｃ、３ｃに係合して表枠ロック爪２，３の動きをロックするため、針金などの不正器具で表枠ロック爪２，３を傾動させることは全く不可能であり、不正解錠を防止することができる。また、施錠状態において、表枠２１に開方向の力が印加された場合、その力は表枠ロック爪２，３の枢軸２ａ，３ａと摺動ロック部材４，５の係止部４ａ．５ａに分散してかかるため、無理に表枠２１を開く力に対抗する施錠保持力を増大させ、不正解錠を防止することができる。
【００４５】
さらに、表枠ロック爪２，３と摺動ロック部材４，５間に、表枠ロック爪２，３を解錠方向に付勢すると共に摺動ロック部材４，５の係止部４ａ，５ａを係止させる方向に付勢する１本のばね部材（コイルばね）１４ｂ，１４ｅが装着される。よって、各表枠ロック爪２，３は、１個のばね部材のみでロック動作を確実に行うことができ、表枠ロック爪２，３は解錠時、そのばね力により受け金具２３，２４を開放する方向に付勢されるから、表枠２１の開動作を良好に行うことができる。
【００４６】
さらに、ガラス枠２２を施錠するガラス枠ロック爪６，７を基枠１に設け、作動帯板８を表枠ロック爪２，３の解錠時とは逆方向に摺動させたとき、ガラス枠ロック爪６，７を解錠動作させるため、表枠２１とガラス枠２２の両方の施錠を行うことができると共に、１本の作動帯板８のみで、カム部材１０とシリンダ錠９を使用して，両者を選択的に解錠操作を行うことができる。
【００４７】
また、施錠状態においては、カム部材１０の係合凸部が、作動帯板８の係合孔８ｆ、８ｇに嵌入した状態を保持して、作動帯板８の解錠側への摺動を阻止するため、不正器具の先端を引っ掛けて作動帯板８を動かしガラス枠ロック爪６，７を摺動させようとしても、作動帯板８は摺動せず、不正解錠を防止することができる。
【図面の簡単な説明】
【００４８】
【図１】本発明の一実施形態を示す遊技機用施錠装置の右側面図である。
【図２】同施錠装置の背面図である。
【図３】同施錠装置の分解右側面図である。
【図４】同施錠装置の分解背面図である。
【図５】使用状態を示す、表枠、ガラス枠を開いた状態の部分断面付き右側面図である。
【図６】使用状態を示す、表枠、ガラス枠を閉じた状態の部分断面付き右側面図である。
【図７】表枠ロック爪の動作を示す部分拡大右側面図である。
【図８】ガラス枠ロック爪の動作を示す部分拡大右側面図である。
【図９】表枠を閉じる際の施錠装置の施錠動作を示す部分右側面の説明図である。
【図１０】表枠を解錠する際の施錠装置の解錠動作を示す部分右側面の説明図である。
【符号の説明】
【００４９】
１      基枠
２      表枠ロック爪
２ａ    枢軸
２ｂ    膨出部
２ｃ    係止溝
４      摺動ロック部材
４ａ    係止部
６      ガラス枠ロック爪
６ｃ    係合部
８      作動帯板
８ｄ〜８ｅ  係合部
８ｆ〜８ｇ  係合孔
８ｈ〜８ｊ  係合部
９      シリンダ錠
１０    カム部材
１１    取付板
１２    支持板
２０    本体枠
２１    表枠
２２    ガラス枠
２３〜２６  受け金具
【図１】
2008284222.tif 000003
【図２】
2008284222.tif 000004
【図３】
2008284222.tif 000005
【図４】
2008284222.tif 000006
【図５】
2008284222.tif 000007
【図６】
2008284222.tif 000008
【図７】
2008284222.tif 000009
【図８】
2008284222.tif 000010
【図９】
2008284222.tif 000011
【図１０】
2008284222.tif 000012